【手続補正書】
【提出日】平成26年9月4日(2014.9.4)
【手続補正１】
【補正対象書類名】明細書
【補正対象項目名】００１５
【補正方法】変更
【補正の内容】
【００１５】
以下、本開示の実施の形態について、図面を参照して詳細に説明する。なお、説明は以下の順序で行う。
１．第１の実施の形態（ＢＭ開口を、ＲＧＢよりもＷのサブ画素において小さくした例）２．第２の実施の形態（Ｗのサブ画素にＮＤフィルタを設けた例）
３．変形例１（ボトムエミッション方式に適用した場合の例）
４．変形例２（ＢＭ開口形状の他の例）
５．変形例３（Ｙのサブ画素を用いた例）
６．モジュールおよび適用例
【手続補正２】
【補正対象書類名】明細書
【補正対象項目名】００２３
【補正方法】変更
【補正の内容】
【００２３】
走査線駆動回路３３は、制御信号３２Ａに基づいて複数の走査線ＷＳＬに対して選択パルスを順次印加することにより、複数の画素Ｐ（詳細にはサブ画素１０Ｒ，１０Ｂ，１０Ｇ，１０Ｗ）を順次選択するものである。信号線駆動回路３４は、制御信号３２Ａに基づいて、映像信号処理回路３１から入力される映像信号３１Ａに対応するアナログの映像信号を生成し、各信号線ＤＴＬ（詳細には後述のＤＴＬｒ，ＤＴＬｇ，ＤＴＬｂ，ＤＴＬｗ）に印加するものである。電源線駆動回路３５は、制御信号３２Ａに基づいて複数の電源線ＤＳＬに対して制御パルスを順次印加することにより、各画素Ｐ内のサブ画素１０Ｒ，１０Ｂ，１０Ｇ，１０Ｗにおける白色有機ＥＬ素子１０ａの発光（点灯）動作および消光（消灯）動作の制御を行うものである。
【手続補正３】
【補正対象書類名】明細書
【補正対象項目名】００２６
【補正方法】変更
【補正の内容】
【００２６】
尚、図４には、４つのサブ画素１０Ｒ，１０Ｇ，１０Ｂ，１０Ｗを纏めて示しているが、サブ画素１０Ｒ，１０Ｇ，１０Ｂ，１０Ｗには、走査線ＷＳＬおよび電源線ＤＳＬがそれぞれ各サブ画素に共通して接続されている。一方、信号線ＤＴＬについては、サブ画素１０Ｒ，１０Ｇ，１０Ｂ，１０Ｗのそれぞれに個別に接続されている（信号線ＤＴＬｒ，ＤＴＬｇ，ＤＴＬｂ，ＤＴＬｗ）。
【手続補正４】
【補正対象書類名】明細書
【補正対象項目名】００２８
【補正方法】変更
【補正の内容】
【００２８】
第１電極１１は、例えば陽極として機能すると共に、例えば光反射性に優れた導電性材料を用いて構成される。この第１電極１１は、例えば、クロム（Ｃｒ），金（Ａｕ），白金（Ｐｔ），ニッケル（Ｎｉ），銅（Ｃｕ），タングステン（Ｗ），アルミニウム（Ａｌ）あるいは銀（Ａｇ）等の金属元素の単体または合金よりなる。あるいは、第１電極１１は、それらの金属元素の単体または合金よりなる金属膜（ミラーとして機能する部分）と、ＩＴＯ、ＩｎＺｎＯ、酸化亜鉛（ＺｎＯ）とアルミニウム（Ａｌ）との合金等の透明導電膜との積層構造を有していてもよい。本実施の形態では、封止基板２０の上方から光取り出しがなされるトップエミッション方式において、第１電極１１の一部または全部がミラーとして機能し、白色有機ＥＬ素子１０ａから発せられた光が上方へ向けて反射されるようになっている。第１電極１１の膜厚は、所望の反射率（例えば８０％〜９０％の反射率）が得られるように設定されることが望ましい。
【手続補正５】
【補正対象書類名】明細書
【補正対象項目名】００３３
【補正方法】変更
【補正の内容】
【００３３】
第２電極１４は、例えば陰極として機能し、例えばサブ画素１０Ｒ，１０Ｇ，１０Ｂ，１０Ｗに共通して設けられるものである。この第２電極１４は、例えばアルミニウム（Ａｌ），マグネシウム（Ｍｇ），カルシウム（Ｃａ），銀（Ａｇ）およびＩＴＯ，ＩｎＺｎＯ，ＺｎＯ等の透明導電膜等のうちの少なくとも１種よりなる単体金属、それらのうちの２種以上を含む合金、もしくは金属酸化物から構成されている。第２電極１４は、そのような単体金属および合金のうちのいずれかよりなる単層膜であってもよいし、それらのうちの２種以上を積層した積層膜であってもよい。この第２電極１４は、第１電極１１と絶縁された状態で設けられると共に、保護膜１５によって覆われている。
【手続補正６】
【補正対象書類名】明細書
【補正対象項目名】００５２
【補正方法】変更
【補正の内容】
【００５２】
（Ｒ，Ｇ，Ｂ，Ｗの映像信号への変換処理）
ここで一般に、入力される映像信号３０Ａは、Ｒ，Ｇ，Ｂの３色に対応するものであるため、映像信号処理回路３１は、まず、入力された映像信号３０Ａ（Ｒ，Ｇ，Ｂの３色に対応する映像信号）に対して、以下のような変換処理（ＲＧＢ／ＲＧＢＷ変換処理）を行う。図８に、この変換処理部３１０における処理フローを示す。
【手続補正７】
【補正対象書類名】明細書
【補正対象項目名】００７４
【補正方法】変更
【補正の内容】
【００７４】
また、ブラックマトリクス１６Ｍの開口Ｍ１に形成されるカラーフィルタ（１６Ｒ，１６Ｇ，１６Ｂ）では、光の透過方向（フィルタ内を通過する光の進行方向）によって、光路長が異なる。このため、光路長がより長くなる斜め方向（正面方向（基板法線方向）から傾いた方向）では、正面方向に比べ、透過光量が減少し易い。従って、サブ画素１０Ｒ，１０Ｇ，１０Ｂでは、特に斜め方向において透過率が低くなる傾向がある。一方、サブ画素１０Ｗでは、そのようなカラーフィルタが設けられていないために、斜め方向においても透過率はそれほど低下しない。つまり、特に斜め方向において、サブ画素１０Ｒ，１０Ｇ，１０Ｂとサブ画素１０Ｗとの間の透過率差が顕著となり、色度点が正面方向の色度点から更にずれたものとなり、視野角特性の低下を招く。
【手続補正８】
【補正対象書類名】明細書
【補正対象項目名】００９３
【補正方法】変更
【補正の内容】
【００９３】
＜変形例２＞
図１５は、上記第１の実施の形態において説明したブラックマトリクス１６Ｍの開口Ｍｗの形状の他の例を模式的に表したものである。本変形例では、Ｗのサブ画素に対向する開口Ｍｗ１が、例えば円形となっている。尚、画素幅ＬPについては、各サブ画素間で同一であり、Ｒ，Ｇ，Ｂのサブ画素における開口Ｍ１では開口マージンｄとなるように設計されている。一歩、開口Ｍｗ１では、開口形状が円形であるため、開口マージンが変化するが、最も大きな箇所で開口マージンｄｗとなっている。
【手続補正９】
【補正対象書類名】明細書
【補正対象項目名】００９５
【補正方法】変更
【補正の内容】
【００９５】
＜変形例３＞
図１６（Ａ），（Ｂ）は、変形例３に係るサブ画素のレイアウトについて説明するための模式図である。上記実施の形態等では、高輝度を示すサブ画素として、白色光を発するサブ画素１０Ｗを設け、Ｒ，Ｇ，Ｂ，Ｗの４色を用いて映像表示を行う場合を例示したが、高輝度画素としては、Ｗに限らずＹ（黄）のサブ画素１０Ｙを用いてもよい。このサブ画素１０Ｙは、上記実施の形態等と同様の白色有機ＥＬ素子１０ａと、黄色フィルタとを組み合わせて実現してもよいし、あるいは発光素子として黄色有機ＥＬ素子を用いて、カラーフィルタを形成しないようにしてもよい。黄色有機ＥＬ素子としては、発光層として、例えば緑色発光層および赤色発光層を積層したもの等を用いることができる。尚、各サブ画素のレイアウトとしては、上記第１の実施の形態と同様、２×２の行列状であってもよいし、行方向または列方向に沿って一列に設けられていてもよい。
【手続補正１０】
【補正対象書類名】特許請求の範囲
【補正対象項目名】全文
【補正方法】変更
【補正の内容】
【特許請求の範囲】
【請求項１】
各々が、赤（Ｒ），緑（Ｇ），青（Ｂ）の各色に対応すると共に、第１ないし第３のサブ画素と、前記第１ないし第３のサブ画素よりも高輝度を示す第４のサブ画素とを有する複数の画素を備え、
前記複数の画素ではそれぞれ、
前記第１ないし第４のサブ画素が、対向配置された一対の基板間に発光素子を有し、
前記第１ないし第３のサブ画素では、前記一対の基板のうちの一方の基板側に、対応する色光を選択的に透過させるカラーフィルタが設けられ、
前記第４のサブ画素では、前記発光素子から発せられた光の透過率が、前記第４のサブ画素の一部または全部の領域において低減するように構成されている
表示装置。
【請求項２】
前記一対の基板は、画素駆動回路を有する駆動基板と、透明基板よりなる封止基板とであり、
前記カラーフィルタは、前記封止基板側に設けられている
請求項１に記載の表示装置。
【請求項３】
前記第１ないし第４のサブ画素に対向して開口を有するブラックマトリクスを備え、
前記カラーフィルタは、前記ブラックマトリクスの前記第１ないし第３のサブ画素に対向する開口にそれぞれ設けられ、
前記第４のサブ画素では、前記ブラックマトリクスの開口幅が、前記第１ないし第３のサブ画素における各開口幅よりも小さくなっている
請求項１または２に記載の表示装置。
【請求項４】
前記第１ないし第４のサブ画素に対向して開口を有するブラックマトリクスを備え、
前記ブラックマトリクスでは、
前記第１ないし第３のサブ画素に対向する開口の形状が方形であり、
前記第４のサブ画素に対向する開口の形状が、円形、楕円形またはｎ角形（ｎは５以上の整数）である
請求項１ないし３のいずれか１つに記載の表示装置。
【請求項５】
前記第１ないし第４のサブ画素に対向して開口を有するブラックマトリクスを備え、
前記第１ないし第４のサブ画素はいずれも、前記駆動基板上に互いに同一形状の画素電極を有し、
前記ブラックマトリクスの各開口の形状は、前記画素電極の基板面に平行な面形状よりも大きくなっている
請求項１ないし４のいずれか１つに記載の表示装置。
【請求項６】
前記第１ないし第３のサブ画素ではそれぞれ、その透過波長毎に各開口幅が設定されている
請求項１ないし５のいずれか１つに記載の表示装置。
【請求項７】
前記第１ないし第３のサブ画素における各開口幅が、カラーフィルタ濃度を考慮して設定されている
請求項１ないし６のいずれか１つに記載の表示装置。
【請求項８】
前記複数の画素は直交する２方向に沿って２次元的に配列され、
前記２方向のうちの選択的な一方向において、前記第４のサブ画素における開口幅が、前記第１ないし第３のサブ画素における各開口幅よりも小さくなっている
請求項１ないし７のいずれか１つに記載の表示装置。
【請求項９】
前記第１ないし第４のサブ画素に対向して開口を有するブラックマトリクスを備え、
前記カラーフィルタは、前記ブラックマトリクスの前記第１ないし第３のサブ画素に対向する開口にそれぞれ設けられ、
前記ブラックマトリクスの前記第４のサブ画素に対向する開口には、減光フィルタ（Neutral Density filter）が設けられている
請求項１ないし８のいずれか１つに記載の表示装置。
【請求項１０】
前記減光フィルタの透過率は、前記第１ないし第３のサブ画素の各カラーフィルタにおける透過帯域の透過率と同等に設定されている
請求項９に記載の表示装置。
【請求項１１】
前記減光フィルタの透過率は、中央部よりも端部においてより低透過率となるように構成されている
請求項９または１０に記載の表示装置。
【請求項１２】
前記減光フィルタの透過率は、中央部から端部に向かって段階的に透過率が低くなるように構成されている
請求項９ないし１１のいずれか１つに記載の表示装置。
【請求項１３】
前記減光フィルタの透過率は、中央部から端部に向かって連続的に透過率が低くなるように構成されている
請求項９ないし１１のいずれか１つに記載の表示装置。
【請求項１４】
前記第１ないし第３のサブ画素ではそれぞれ、その透過波長毎に透過率が設定されている
請求項９ないし１３のいずれか１つに記載の表示装置。
【請求項１５】
前記一対の基板は、透明基板上に画素駆動回路を有する駆動基板と、封止基板とであり、
前記カラーフィルタは、前記駆動基板側に設けられている
請求項１に記載の表示装置。
【請求項１６】
前記駆動基板上の、前記第１ないし第３のサブ画素に対応する領域には前記カラーフィルタ、前記第４のサブ画素に対応する領域には、減光フィルタ（Neutral Density filter）がそれぞれ設けられている
請求項１５に記載の表示装置。
【請求項１７】
前記第４のサブ画素は、白（Ｗ）または黄（Ｙ）の色に対応するものである
請求項１ないし１６のいずれか１つに記載の表示装置。
【請求項１８】
前記発光素子は有機電界発光素子である
請求項１ないし１７のいずれか１つに記載の表示装置。
【請求項１９】
前記有機電界発光素子は白色光を発する
請求項１８に記載の表示装置。
【請求項２０】
各々が、赤（Ｒ），緑（Ｇ），青（Ｂ）の各色に対応する第１ないし第３のサブ画素と、前記第１ないし第３のサブ画素よりも高輝度を示す第４のサブ画素とを有する複数の画素を備え、
前記複数の画素ではそれぞれ、
前記第１ないし第４のサブ画素が、対向配置された一対の基板間に発光素子を有し、
前記第１ないし第３のサブ画素では、前記一対の基板のうちの一方の基板側に、対応する色光を選択的に透過させるカラーフィルタが設けられ、
前記第４のサブ画素では、前記発光素子から発せられた光の透過率が、前記第４のサブ画素の一部または全部の領域において低減するように構成されている
表示装置を有する電子機器。
【手続補正１１】
【補正対象書類名】図面
【補正対象項目名】図５
【補正方法】変更
【補正の内容】
【図５】
2013080584.tif 000001
【手続補正１２】
【補正対象書類名】図面
【補正対象項目名】図６
【補正方法】変更
【補正の内容】
【図６】
2013080584.tif 000002
【手続補正１３】
【補正対象書類名】図面
【補正対象項目名】図７
【補正方法】変更
【補正の内容】
【図７】
2013080584.tif 000003